(57)【要約】【課題】異なる無線局によって運用される複数セルのキャリアアグリゲーションにおいて、無線端末での無駄な電力消費の抑制に寄与する。【解決手段】無線局は、当該無線局の第２のセル及び他の無線局の第１のセルを使用してデュアルコネクティビティを実行する無線端末と通信し、第１のセルのための第１のDRX設定情報を含むRRCメッセージを他の無線局から受信し、当該RRCメッセージを第１のセルにおけるRRC接続の確立が維持されている間に無線端末へシグナリング無線ベアラによって第２のセルにおいて送信する。【選択図】図１
2020005317.tif 000002
【特許請求の範囲】
【請求項１】
無線局であって、
少なくとも前記無線局の第２のセル及び他の無線局の第１のセルを使用してデュアルコネクティビティを実行する無線端末と通信する手段と、
前記第１のセルのための第１の間欠受信（DRX）設定情報を含む無線リソース制御（RRC）メッセージを、前記他の無線局から受信する手段と、
前記第１のセルにおけるRRC接続の確立が維持されている間に前記RRCメッセージを前記無線端末へ送信する手段と、を備え、
前記RRCメッセージはシグナリング無線ベアラ（SRB）によって第２のセルにおいて前記無線局から前記無線端末へ送信される、無線局。
【請求項２】
前記第２のセルのための第２のDRX設定情報を前記他の無線局へ送信する手段を備え、
前記第２のDRX設定情報は前記第１のDRX設定情報とは独立して設定される、請求項１に記載の無線局。
【請求項３】
前記RRCメッセージは前記第２のDRX設定情報を含む、請求項２に記載の無線局。
【請求項４】
第１の無線局の第１のセル及び第２の無線局の第２のセルを用いてデュアルコネクティビティを実行する無線端末であって、
前記第１のセルにおける無線リソース制御（RRC）接続の確立が維持されている間に、前記第１のセルのための第１の間欠受信（DRX）設定情報を含むRRCメッセージを、シグナリング無線ベアラ（SRB）によって前記第２のセルにおいて前記第２の無線局から受信する手段と、
前記RRCメッセージは前記第１の無線局から前記第２の無線局へ直接送信される、無線端末。
【請求項５】
前記RRCメッセージは、前記第２の無線局から前記第１の無線局へ送信される、前記第２のセルのための第２のDRX設定情報を含み、
前記第２のDRX設定情報は前記第１のDRX設定情報とは独立して設定される、請求項４に記載の無線端末。
【請求項６】
無線局における制御方法であって、
少なくとも前記無線局の第２のセル及び他の無線局の第１のセルを使用してデュアルコネクティビティを実行する無線端末と通信し、
前記第１のセルのための第１の間欠受信（DRX）設定情報を含む無線リソース制御（RRC）メッセージを、前記他の無線局から受信し、
前記第１のセルにおけるRRC接続の確立が維持されている間に前記RRCメッセージを前記無線端末へ送信し、
前記RRCメッセージはシグナリング無線ベアラ（SRB）によって第２のセルにおいて前記無線局から前記無線端末へ送信される、制御方法。
【請求項７】
前記第２のセルのための第２のDRX設定情報を前記他の無線局へ送信し、
前記第２のDRX設定情報は前記第１のDRX設定情報とは独立して設定される、請求項６に記載の制御方法。
【請求項８】
前記RRCメッセージは前記第２のDRX設定情報を含む、請求項７に記載の制御方法。
【請求項９】
第１の無線局の第１のセル及び第２の無線局の第２のセルを用いてデュアルコネクティビティを実行する無線端末における制御方法であって、
前記第１のセルにおける無線リソース制御（RRC）接続の確立が維持されている間に、前記第１のセルのための第１の間欠受信（DRX）設定情報を含むRRCメッセージを、シグナリング無線ベアラ（SRB）によって前記第２のセルにおいて前記第２の無線局から受信し、
前記RRCメッセージは前記第１の無線局から前記第２の無線局へ直接送信される、制御方法。
【請求項１０】
前記RRCメッセージは、前記第２の無線局から前記第１の無線局へ送信される、前記第２のセルのための第２のDRX設定情報を含み、
前記第２のDRX設定情報は前記第１のDRX設定情報とは独立して設定される、請求項９に記載の制御方法。
【発明の詳細な説明】
【技術分野】
【０００１】
本発明は、無線局と無線端末が複数のセルを利用して通信を行う無線通信システムに関する。
【背景技術】
【０００２】
近年のモバイルトラフィックの急激な増大による通信品質の低下の改善、及びさらなる高速通信の実現のため、3GPP LTE（Long Term Evolution）では無線基地局（eNode B: eNB）と無線端末（User Equipment: UE）が複数のセルを使用して通信を行うキャリアアグリゲーション（Carrier Aggregation: CA）機能の仕様化が行われている。なお、UEがCAで使用可能なセルは、１つのeNBの複数セル（つまり、eNBが運用する複数セル）に限定される。
【０００３】
CAにおいてUEが使用するセルは、CAを開始する時点でサービングセルとして使用されているプライマリセル（Primary cell: PCell）と、追加的に又は従属的に使用されるセカンダリセル（Secondary cell: SCell）に分類される。SCellは、必要に応じてUEにおいて使用されたり、使用を中止されたりすることができる。なお、SCellの使用を開始することを、活性化する（activate）、又はアクティベーション（activation）と呼ぶ。同様に、SCellの使用を中止することを、非活性化する（deactivate）又はディアクティベーション（deactivation）と呼ぶ。PCellでは、無線接続の（再）確立（RRC Connection Establishment, RRC Connection Re-establishment）の際に、NASモビリティ情報（Non Access Stratum mobility information）やセキュリティ情報（security input）が送受信される（非特許文献１）。PCellに対応するDL (downlink) Carrierは、DL PCC (Primary Component Carrier)と呼ばれ、UL (uplink) CarrierはUL PCCと呼ばれる。同様に、SCellに対応するDL CarrierはDL SCC (Secondary Component Carrier)と呼ばれ、UL CarrierはUL SCCと呼ばれる。
【０００４】
CAにおける下りリンクのデータ（DL data）送受信の動作を図１７を用いて説明する（非特許文献２）。ここでは、UEがeNBによって運用される第１のセル（Cell1）をPCellとして使用し、第２のセル（Cell2）をSCellとして使用することを想定する。ステップＳ１では、eNBがUEにSCell（つまり、Cell2）の設定情報を送信する（RRC Connection Reconfiguration (Scell configuration)）。ステップＳ２では、eNBがUEにCell2のアクティベーション（Activation）の指示を送信する（Activation control element (activation of SCell)）。ステップＳ３では、UEがSCellの使用を開始する（SCell activation）。ステップＳ４及びＳ５では、eNB及びUEは、PCell及びSCellを使用してDL dataを送受信する。
【０００５】
ステップＳ６では、eNBは、UEのためにSCellを使用する必要が無いと判断し、SCellのディアクティベーション（Deactivation）の指示を送信する（Deactivation control element (deactivation of SCell)）。ステップＳ７では、UEがCell2の使用を中断する（SCell deactivation）。ステップＳ８では、eNB及びUEは、PCellのみを使用してDL dataを送受信する。
【０００６】
ステップＳ９では、eNBは、再びUEのためにSCellを使用する必要があると判断し、SCellの使用開始の指示を送信する（Activation control element (activation of SCell)）。ステップＳ１０では、UEがSCellの使用を開始する（SCell activation）。ステップＳ１１及びＳ１２では、eNB及びUEは、PCell及びSCellを使用してDL dataを送受信する。
【０００７】
以上のように、eNBは、UEのデータ量（トラフィック量とも呼ぶ）に応じて、SCellを使用するか（活性化するか）否かを適応的に制御することができる。これにより、UE毎のスループットを向上しつつ、UEが不必要にSCellにおいて下りリンク制御信号（Physical Downlink Control Channel: PDCCH）を復号することによる消費電力の増加を回避することができる。
【先行技術文献】
【非特許文献】
【０００８】
【非特許文献１】3GPP TS 36.300 V11.3.0, “Evolved Universal Terrestrial Radio Access (E-UTRA) and Evolved Universal Terrestrial Radio Access Network (E-UTRAN); Overall description; Stage 2 (Release 11)”, Section 7.5, September 2012
【非特許文献２】3GPP TS 36.321 V11.0.0, “Evolved Universal Terrestrial Radio Access (E-UTRA); Medium Access Control (MAC) protocol specification (Release 11)”, Section 6.1.3.8, September 2012
【非特許文献３】3GPP RWS-120046, Samsung Electronics, “Technologies for Rel-12 and Onwards”, 3GPP TSG RAN Workshop on Rel-12 and Onwards, Ljubljana, Slovenia, 11-12 June 2012
【非特許文献４】3GPP RWS-120010, NTT DOCOMO, “Requirements, Candidate Solutions & Technology Roadmap for LTE Rel-12 Onward”, 3GPP TSG RAN Workshop on Rel-12 and Onwards, Ljubljana, Slovenia, 11-12 June 2012
【発明の概要】
【発明が解決しようとする課題】
【０００９】
さらに、異なる無線基地局（eNB）のセルを同時に使用する基地局間キャリアアグリゲーション（inter-eNB CA）の提案がある（非特許文献３及び４）。例えば、マクロ基地局（Macro eNB: MeNB）のセルをPCellとし、低電力基地局（Low Power Node: LPN）のセルをSCellとして同時に使用することができる。基地局間キャリアアグリゲーションでは、PCellとSCellでそれぞれ独立にベアラが設定され、UEとMeNB及びUEとLPNの間で通信が行われる。
【００１０】
例えば、無線端末（UE）は、PCellにて音声通信（VoIP (Voice over IP)又はVoLTE (Voice over LTE)と呼ばれる）を実行し、SCellにてデータ通信（例えば、FTP）を実行する。一般的に、VoIPは通信頻度が低く、FTPのトラフィック量はユーザーアクティビティーに応じて増減する。このとき、通常の同一基地局の複数セルを使用するCAであれば、eNBは、FTPのトラフィック量に応じて、SCellのアクティベーション／ディアクティベーションを適応的に制御できる。しかしながら、PCellとSCellが異なるeNBによって管理される場合、PCellを管理するeNB（例えばMeNB）は、他のeNB（例えばLPN）のSCellにおいて提供されるFTPのトラフィック量に応じて、SCellのアクティベーション／ディアクティベーションを適応的に制御することが難しい。したがって、例えば、UEは、通信頻度の低いSCellにおいて不必要に下りリンク制御信号（PDCCH）を復号しなければならず、無駄に電力を消費してしまうおそれがある。このことは、PCellのリソーススケジューリングとSCellのリソーススケジューリングが異なる基地局によって独立に行われる場合に特に問題となるかもしれない。なぜなら、各無線基地局が独立にスケジューリングを行う場合、PCCのPDCCHをSCCでのデータ送信のスケジューリングのために使用すること（いわゆるcross-carrier scheduling）が難しい可能性があるためである。
【００１１】
また、キャリアアグリゲーションでは、UEがPCellとの間にアクティブな接続を有していることを前提としてSCellがアクティベートされる。言い換えると、SCellは、UEがPCellに接続していることを条件として追加的に又は従属的にアクティベートされる。したがって、UEは、SCellをアクティベートしたままでPCellのみをディアクティベートすることができない。このため、UEは、PCellにおけるVoIPの通信頻度が低い場合であっても、PCellにおいて受信可能な状態又は送信可能な状態を維持しておかなければならない。
【００１２】
本件発明の目的の１つは、異なる無線局によって運用される複数セルのキャリアアグリゲーションにおいて、無線端末（UE）の無駄な電力消費を抑制することに寄与する無線通信システム、無線局、無線端末、通信制御方法、及びプログラムを提供することである。
【課題を解決するための手段】
【００１３】
第１の態様では、無線通信システムは、第１のセルを運用する第１の無線局、第２のセルを運用する第２の無線局、及び前記第１のセル及び前記第２のセルを使用するキャリアアグリゲーションを行うことが可能な無線端末を含む。さらに、前記第１又は第２の無線局は、前記無線端末に制約情報を送信するよう構成されている。前記制約情報は、前記キャリアアグリゲーションが行われているときの前記第１のセル及び前記第２のセルの少なくとも一方に関する受信制限及び送信制限の少なくとも一方を特定するために必要な情報要素を含む。前記受信制限は、前記第１のセル及び前記第２のセルの１サブフレーム期間以上にわたる前記無線端末における下りリンク信号の受信に関する制限である。前記送信制限は、前記１サブフレーム期間以上にわたる前記無線端末における上りリンク信号の送信に関する制限である。
【００１４】
第２の態様では、第１のセルを運用する第１の無線局は、通信制御部を含む。前記通信制御部は、前記第１のセル及び第２の無線局によって運用される第２のセルを使用するキャリアアグリゲーションをサポートする。さらに、前記通信制御部は、前記キャリアアグリゲーションを行う無線端末に制約情報を送信する。前記制約情報は、前記キャリアアグリゲーションが行われているときの前記第１のセル及び前記第２のセルの少なくとも一方に関する受信制限及び送信制限の少なくとも一方を特定するために必要な情報要素を含む。前記受信制限は、前記第１のセル及び前記第２のセルの１サブフレーム期間以上にわたる前記無線端末における下りリンク信号の受信に関する制限である。前記送信制限は、前記１サブフレーム期間以上にわたる前記無線端末における上りリンク信号の送信に関する制限である。
【００１５】
第３の態様では、第２のセルを運用する第２の無線局は、通信制御部を含む。前記通信制御部は、第１の無線局によって運用される第１のセル及び前記第２のセルを使用するキャリアアグリゲーションをサポートする。さらに、前記通信制御部は、前記キャリアアグリゲーションを行う無線端末に制約情報を送信する。前記制約情報は、前記キャリアアグリゲーションが行われているときの前記第１のセル及び前記第２のセルの少なくとも一方に関する受信制限及び送信制限の少なくとも一方を特定するために必要な情報要素を含む。前記受信制限は、前記第１のセル及び前記第２のセルの１サブフレーム期間以上にわたる前記無線端末における下りリンク信号の受信に関する制限である。前記送信制限は、前記１サブフレーム期間以上にわたる前記無線端末における上りリンク信号の送信に関する制限である。
【００１６】
第４の態様では、無線端末は、第１の無線局によって運用される第１のセルを第１のセルとして使用し且つ第２の無線局によって運用される第２のセルを第２のセルとして使用するキャリアアグリゲーションをサポートする通信制御部を含む。さらに、前記通信制御部は、前記第１又は第２の無線局から制約情報を受信する。前記制約情報は、前記キャリアアグリゲーションが行われているときの前記第１のセル及び前記第２のセルの少なくとも一方に関する受信制限及び送信制限の少なくとも一方を特定するために必要な情報要素を含む。前記受信制限は、前記第１のセル及び前記第２のセルの１サブフレーム期間以上にわたる前記無線端末における下りリンク信号の受信に関する制限である。前記送信制限は、前記１サブフレーム期間以上にわたる前記無線端末における上りリンク信号の送信に関する制限である。
【００１７】
第５の態様では、第１のセルを運用する第１の無線局における通信制御方法は、キャリアアグリゲーションを行う無線端末に制約情報を送信することを含む。前記キャリアアグリゲーションは、前記第１のセルを及び第２の無線局によって運用される第２のセルを使用する。前記制約情報は、前記キャリアアグリゲーションが行われているときの前記第１のセル及び前記第２のセルの少なくとも一方に関する受信制限及び送信制限の少なくとも一方を特定するために必要な情報要素を含む。前記受信制限は、前記第１のセル及び前記第２のセルの１サブフレーム期間以上にわたる前記無線端末における下りリンク信号の受信に関する制限である。前記送信制限は、前記１サブフレーム期間以上にわたる前記無線端末における上りリンク信号の送信に関する制限である。
【００１８】
第６の態様では、第２のセルを運用する第２の無線局における通信制御方法は、キャリアアグリゲーションを行う無線端末に制約情報を送信することを含む。前記キャリアアグリゲーションは、第１の無線局によって運用される第１のセル及び前記第２のセルを使用する。前記制約情報は、前記キャリアアグリゲーションが行われているときの前記第１のセル及び前記第２のセルの少なくとも一方に関する受信制限及び送信制限の少なくとも一方を特定するために必要な情報要素を含む。前記受信制限は、前記第１のセル及び前記第２のセルの１サブフレーム期間以上にわたる前記無線端末における下りリンク信号の受信に関する制限である。前記送信制限は、前記１サブフレーム期間以上にわたる前記無線端末における上りリンク信号の送信に関する制限である。
【００１９】
第７の態様では、無線端末における通信制御方法は、第１の無線局によって運用される第１のセル及び第２の無線局によって運用される第２のセルを使用するキャリアアグリゲーションを行うこと、及び前記第１又は第２の無線局から制約情報を受信することを含む。前記制約情報は、前記キャリアアグリゲーションが行われているときの前記第１のセル及び前記第２のセルの少なくとも一方に関する受信制限及び送信制限の少なくとも一方を特定するために必要な情報要素を含む。前記受信制限は、前記第１のセル及び前記第２のセルの１サブフレーム期間以上にわたる前記無線端末における下りリンク信号の受信に関する制限である。前記送信制限は、前記１サブフレーム期間以上にわたる前記無線端末における上りリンク信号の送信に関する制限である。
【００２０】
第８の態様では、プログラムは、上述した第５の態様に係る通信制御方法をコンピュータに行わせるための命令群を含む。
【００２１】
第９の態様では、プログラムは、上述した第７の態様に係る通信制御方法をコンピュータに行わせるための命令群を含む。
【００２２】
第１０の態様では、プログラムは、上述した第７の態様に係る通信制御方法をコンピュータに行わせるための命令群を含む。
【発明の効果】
【００２３】
上述した態様によれば、異なる無線局によって運用される複数セルのキャリアアグリゲーションにおいて、無線端末（UE）の無駄な電力消費を抑制することに寄与する無線通信システム、無線局、無線端末、通信制御方法、及びプログラムを提供できる。
【図面の簡単な説明】
【００２４】
【図１】第１の実施形態に係る無線通信システムの構成例を示す図である。
【図２】第１の実施形態に係る第１の無線局の構成例を示す図である。
【図３】第１の実施形態に係る第２の無線局の構成例を示す図である。
【図４】第１の実施形態に係る無線端末の構成例を示す図である。
【図５】第１の実施形態に係る無線通信システムにおける通信制御方法の一例を示すシーケンス図である（手順例１）。
【図６】第１の実施形態に係る無線通信システムにおける通信制御方法の一例を示すシーケンス図である（手順例２）。
【図７】第１の実施形態に係る無線通信システムにおける通信制御方法の一例を示すシーケンス図である（手順例３）。
【図８】第２の実施形態に係る無線通信システムにおける通信制御方法の一例を示すシーケンス図である（手順例４）。
【図９】第２の実施形態に係る無線通信システムにおける通信制御方法の一例を示すシーケンス図である（手順例４の変形）。
【図１０】第２の実施形態に係る無線通信システムにおける通信制御方法の一例を示すシーケンス図である（手順例５）。
【図１１】第２の実施形態に係る無線通信システムにおける通信制御方法の一例を示すシーケンス図である（手順例６）。
【図１２】第２の実施形態に係る無線通信システムにおける通信制御方法の一例を示すシーケンス図である（手順例６の変形）。
【図１３Ａ】第２の実施形態に係る無線通信システムにおける通信制御方法の一例を示すシーケンス図である（手順例７のオプション１）。
【図１３Ｂ】手順例７のオプション１における受信期間（ON期間）及び非受信期間（OFF期間）を示す図である。
【図１４Ａ】第２の実施形態に係る無線通信システムにおける通信制御方法の一例を示すシーケンス図である（手順例７のオプション２）。
【図１４Ｂ】手順例７のオプション２における受信期間（ON期間）及び非受信期間（OFF期間）を示す図である。
【図１５Ａ】第２の実施形態に係る無線通信システムにおける通信制御方法の一例を示すシーケンス図である（手順例７のオプション３）。
【図１５Ｂ】手順例７のオプション３における受信期間（ON期間）及び非受信期間（OFF期間）を示す図である。
【図１６】第２の実施形態に係る無線通信システムにおける通信制御方法の一例を示すシーケンス図である（手順例７のオプション１）。
【図１７】LTEのキャリアアグリゲーション手順を示すシーケンス図である（背景技術）。
【発明を実施するための形態】
【００２５】
以下では、具体的な実施形態について、図面を参照しながら詳細に説明する。各図面において、同一又は対応する要素には同一の符号が付されており、説明の明確化のため、必要に応じて重複説明は省略される。
【００２６】
＜第１の実施形態＞
図１は、本実施形態に係る無線通信システムの構成例を示している。本実施形態に係る無線通信システムは、第１の無線局１、第２の無線局２、及び無線端末３を含む。無線局１及び２は、コアネットワーク４に接続され、第１のセル１０及び第２のセル２０をそれぞれ運用する。無線局１及び２は、例えば、無線基地局、基地局制御局、又は無線基地局の一部の機能（プロトコルレイヤ）のみを有する簡易無線基地局である。無線端末３は、１つの無線局のセルを使用している間に他の無線局のセルも使用する機能を有する。言い換えると、無線端末３は、異なる無線局によって運用される複数のセルのキャリアアグリゲーション（またはセルアグリゲーション）をサポートする。尚、異なる無線局とは、独立した異なる無線局でもよいし、ある無線局とそれに従属する別の無線局でもよい。さらに、異なる無線局のそれぞれが、機能が異なる種類の無線局であってもよい。
【００２７】
例えば、無線端末３は、第１のセル１０における第１の無線接続を維持したまま、第２のセル２０における第２の無線接続を確立することができる。これにより、無線端末３は、信号（例えば、ユーザーデータ又は制御情報）の送信又は受信のために複数のセル（例えば、セル１０及び２０）を同時に使用することができる。「複数のセルを同時に使用する」とは、実際に複数のセルで信号を同時に受信又は送信することに限定はされず、複数のセルの両方において信号を受信又は送信することが可能な状態になっているが実際にはいずれかのセルで信号を受信又は送信すること、複数のセルそれぞれで種類の異なる信号を受信又は送信すること、或いは、複数のセルそれぞれを信号の受信又は送信のいずれかに使用すること、などを含む。
【００２８】
異なる無線局によって運用される複数のセルのキャリアアグリゲーションという観点から、異なる無線局によって運用される複数のセルを使用する機能は、無線局間キャリアアグリゲーションと呼ぶことができる。また、上述のような複数のセルの同時使用の観点から、異なる無線局によって運用される複数のセルを使用する機能は、デュアル接続（Dual Connection）、デュアル接続性（Dual Connectivity）、マルチ接続（Multi Connection）、マルチ接続性（Multi Connectivity）、などと呼ぶこともできる。
【００２９】
無線端末３は、無線局１又は２に対して無線局間キャリアアグリゲーションを行う能力を有すること（つまり、無線局間キャリアアグリゲーションをサポートすること）を示す端末能力報告を行ってもよい。これに代えて、無線端末３は、無線端末３のカテゴリ又は装置リリース番号などにより無線局間キャリアアグリゲーションをサポートすることを暗に示してもよい。無線局間キャリアアグリゲーションの能力は、デュアル接続の能力、又はマルチ接続の能力、と呼ぶこともできる。
【００３０】
図１は、ヘテロジーニアス・ネットワーク（Heterogeneous Network: HetNet）環境を示している。具体的に述べると、図１に示された第１のセル１０は、第２のセル２０に比べて広いカバレッジを有する。また、図１は、第１のセル１０内に第２のセル２０が配置された階層化セル構成を示している。しかしながら、図１に示されたセル構成は一例に過ぎない。例えば、第１及び第２のセル１０及び２０は、同程度のカバレッジを有してもよい。言い換えると、本実施形態に係る無線通信システムは、ホモジーニアス・ネットワーク（Homogeneous Network）環境に適用されてもよい。
【００３１】
続いて以下では、本実施形態の無線通信システムの動作についてさらに詳しく説明する。本実施形態の無線通信システムは、無線局間キャリアアグリゲーションが設定されている間に、無線端末３が第１のセル１０及び第２のセル２０の少なくとも一方において信号の送受信単位期間（例えば１サブフレーム）以上のインターバルで間欠的に受信又は送信を行えるようにする。無線局間キャリアアグリゲーションが設定されている間とは、言い換えると、無線端末３が第１のセル１０を使用している間に、さらに第２のセル２０を使用するよう指示されている期間である。また、無線局間キャリアアグリゲーションが設定されている間とは、無線端末が第１の無線局１の（少なくとも下りリンクの）コンポーネントキャリア（Component Carrier: CC）をプライマリ・コンポーネントキャリア（PCC）とし、第２の無線局２の（少なくとも下りリンクの）コンポーネントキャリア（CC）をセカンダリ・コンポーネントキャリア（SCC）としている間と言うこともできる。無線局間キャリアアグリゲーションが設定されている間は、無線端末３は、セル１０及び２０の両方においてアクティブな接続を有している状態である。
【００３２】
無線局間キャリアアグリゲーションが設定されているときの無線端末３の間欠的な受信又は送信を可能とするために、本実施形態の無線通信システムは、以下のように動作する。すなわち、無線局１又は２は、無線端末３に制約情報（Constraint information）を送信する。制約情報は、無線局間キャリアアグリゲーションが行われているときの第１のセル１０及び第２のセル２０の少なくとも一方における受信制限及び送信制限の少なくとも一方を特定するために必要な情報要素を含む。ここで、受信制限は、信号の送受信単位（例えば１サブフレーム）期間以上にわたる無線端末３における下りリンク信号の受信に関する制限であり、例えば無線端末３が所定期間（又はタイミング）で所定の下りリンク信号を受信又は復号しなくてもよいこと、又は所定期間（又はタイミング）で所定の下りリンク信号を受信又は復号すべきであること、などを含む。所定の下りリンク信号は、例えば、下りリンク制御チャネル（例えば、LTEのPDCCH）で送信される信号、ページングを送信するための信号、システム情報を送信するための信号、などである。送信制限は、信号の送受信単位（例えば、１サブフレーム）期間以上にわたる無線端末３における上りリンク信号の送信に関する制限であり、例えば無線端末３による上りリンク信号（例えば、LTEのPUSCH (Physical Uplink Shared Channel)）の送信が所定期間（又はタイミング）に禁止されること、又は上りリンク信号の送信が所定期間（又はタイミング）に許可される可能性があること、などを含む。１サブフレーム期間とは、無線通信システムが準拠する通信規格（例えば、3GPP LTE）において規定されたTTI（Transmission Time Interval）を意味する。LTEの１サブフレーム期間は、１ミリ秒である。
【００３３】
制約情報は、受信制限及び送信制限の少なくとも一方を特定するために、例えば以下の（ａ）〜（ｈ）のうち少なくとも１つを明示的又は暗示的に示してもよい。
（ａ）所定の下りリンク信号を受信すべき期間（又はタイミング）
（ｂ）所定の下りリンク信号を復号すべき期間（又はタイミング）
（ｃ）所定の下りリンク信号を受信しなくてもよい期間（又はタイミング）
（ｄ）所定の下りリンク信号を復号しなくてもよい期間（又はタイミング）
（ｅ）上りリンク信号の送信が禁止される期間（又はタイミング）
（ｆ）上りリンク信号を送信してもよい期間（又はタイミング）
（ｇ）上りリンク信号を送信する可能性がある期間（又はタイミング）
（ｈ）上りリンク信号の送信が許可される可能性がある期間（又はタイミング）
これらの期間又はタイミングは、無線端末３の観点から表現されているが、無線局１及び２の観点からの表現に変換しても同義である。
【００３４】
また、受信制限の例としては、上記（ｃ）又は（ｄ）を示す「受信ギャップ」を設定することが考えられる。或いは、上記（ａ）と（ｃ）の組み合わせ、又は（ｂ）と（ｄ）の組み合わせで規定される「間欠受信（Discontinuous Reception: DRX）」を指示することも考えられる。尚、（ａ）又は（ｂ）に相当する期間を「受信期間」、「受信On期間」（又は「On期間」）、または「Active期間」と呼び、（ｃ）又は（ｄ）に相当する期間を「非受信期間」、「受信Off期間」（又は「Off期間」）、または「Inactive期間」と呼ぶ。
【００３５】
送信制限の例としては、上記（ｅ）を示す「送信ギャップ」を設定することが考えられる。或いは、（ｅ）と（ｆ）〜（ｈ）のいずれかの組み合わせで規定される、つまり上りリンク信号の送信が許可されるタイミング（例えばサブフレーム）を絞りこむ「送信タイミングのマスキング（Masking）」を指示することも考えられる。さらに、（ｅ）と（ｆ）〜（ｈ）のいずれかの組み合わせで規定される「間欠送信（Discontinuous Transmission: DRX）」を指示することも考えられる。尚、（ｅ）に相当する期間を「非送信期間」、「送信Off期間」（又は「Off期間」）、または「Inactive期間」と呼び、（ｆ）、（ｇ）、又は（ｈ）に相当する期間を「送信期間」、「送信On期間」（又は「On期間」）、または「Active期間」と呼ぶ。
【００３６】
さらに、制約情報は、受信制限と送信制限の少なくともいずれかを直接的に示してもよいし、暗に示してもよい。例えば、制約情報は、以下のうち少なくとも１つを含んでも良い。
（Ａ）受信制限の適用の要求（又は指示）
（Ｂ）送信制限の適用の要求（又は指示）
（Ｃ）受信制限の内容
（Ｄ）送信制限の内容
（Ｅ）受信制限の制御パラメータ
（Ｆ）送信制限の制御パラメータ
【００３７】
（Ａ）は、例えば受信制限が何を指すかを予め無線局１及び２の間あるいは無線局１及び２と無線端末３の間で共有している、または仕様に規定されている場合に、当該受信制限を適用することを要求する際に用いられる。同様に、（Ｂ）は、例えば送信制限が何を指すかを予め無線局１及び２の間で共有している、または仕様に規定されている場合に、当該送信制限を適用することを要求する際に用いられる。
【００３８】
（Ｃ）は、どのような受信制限を適用するかを示す情報であり、例えば「受信ギャップ」の設定か、又は「ＤＲＸ」の指示か、などを示す。同様に（Ｄ）は、どのような送信制限を適用するかを示す情報であり、例えば「送信ギャップ」の設定か、又は「送信タイミングのマスキング」の指示か、などを示す。
【００３９】
（Ｅ）は、受信制限において設定する制御パラメータを示す情報であり、例えば上述の（ａ）〜（ｄ）の少なくともいずれかを示す。同様に、（Ｆ）は、送信制限において設定する制御パラメータを示す情報であり、例えば上述の（ｅ）〜（ｈ）の少なくともいずれかを示す。
【００４０】
無線端末３は、例えば、以下のように動作してもよい。無線端末３は、無線局１又は２から制約情報を受信する。そして、無線端末３は、無線局間キャリアアグリゲーションにおいて、受信制限を考慮した受信動作、又は送信制限を考慮した送信動作を行う。例えば、無線端末３は、制約情報に含まれる受信制限に基づいて特定された第２のセルの受信制限に含まれる１又は複数のサブフレームにおいて、第２のセルのPDCCHの復号（つまりPDCCHブラインド・デコーディング）を停止してもよい。ここで、受信制限は、無線端末３が所定期間（又はタイミング）に所定の下りリンク信号を復号しなくてもよいことを意味する。また、無線端末３は、例えば、制約情報に含まれる送信制限に基づいて特定された第２のセルの送信制限に含まれる１又は複数のサブフレームにおいて、第２のセルに関する送信用の回路要素（例えば増幅器）の動作を停止してもよいし、送信用の回路要素を低電力動作に切り替えてもよい。ここで、送信制限は、無線端末３による上りリンク信号（例えば、LTEのPUSCH (Physical Uplink Shared Channel)）の送信が所定期間（又はタイミング）に禁止されることを意味する。これにより、無線端末３は、無線局間キャリアアグリゲーションが行われているときに、制約情報に基づいて受信動作又は送信動作を休止することが可能となる。
【００４１】
制約情報の対象となるセルは、第１のセル１０及び第２のセル２０の両方でもよいし、いずれか一方のみでもよい。例えば、無線端末３は、第１のセル１０の受信制限又は送信制限（例えば、受信ギャップ、送信ギャップ、ＤＲＸ、又は送信タイミングのマスキング）を用いて、第２のセル２０の受信制限又は送信制限（例えば、受信ギャップ、送信ギャップ、受信期間、又は送信期）を求めてもよい。この場合、制約情報は、第２のセル２０の受信制限又は送信制限を特定するために必要な情報要素として、第１のセル１０に関する受信制限又は送信制限を示す情報要素を含んでいれば十分である。
【００４２】
制約情報に基づく第２のセル２０の受信制限（又は送信制限）は、第１のセル１０の受信制限（又は送信制限）と独立に設定されてもよい。この方法の利点は、無線局１及び２において同じ無線端末３に対して実行されるサービス（つまり、データ送受信）の状況を考慮する必要がないことである。
【００４３】
これに代えて、第２のセル２０の受信制限（又は送信制限）は、第１のセル１０の受信制限（又は送信制限）に依存して設定されてもよい。例えば、第２のセル２０の受信ギャップ（又は送信ギャップ）は、第１のセル１０の受信ギャップ（又は送信ギャップ）と少なくとも一部が重複しないように設定されてもよい。例えば、第１のセル１０及び第２のセル２０の受信ギャップは、第２のセル２０における受信期間の先頭位置が第１のセル１０における受信期間の先頭位置と重複しないように設定されてもよい。同様に、第１のセル１０及び第２のセル２０の送信ギャップは、第２のセル２０における送信期間の先頭位置が第１のセル１０における送信期間の先頭位置と重複しないように設定されてもよい。この方法の利点は、受信期間または送信期間の先頭に無線端末３が無線局１及び２からの下りリンク信号を同時に受信する必要が無い期間または無線局１及び２への上りリンク信号を同時に送信する必要が無い期間を設定し、できるだけ当該期間で下りリンクデータまたは上りリンクデータを送受信することで、無線端末３の負荷を軽減すると共に、データ送受信における遅延を抑えることができることである。
【００４４】
また、例えば、第１のセル１０及び第２のセル２０の受信ギャップ（又は送信ギャップ）は、第１のセル１０の受信期間（又は送信期間）と第２のセル２０の受信期間（送信期間）が全く重複しないように決定されてもよい。この方法の利点は、無線端末３が無線局１及び２からの下りリンク信号を同時に受信する（又は異なる無線局への上りリンク信号を同時に送信する）ことを回避することで無線端末３における負荷を大幅に軽減することができることである。特に、無線端末３が異なる周波数帯域の複数セルを同時に使用している場合に、負荷を軽減することができる。なぜなら、異なる周波数帯域の複数セルを使用するには、周波数帯域毎のハードウェア（例えば無線周波数（ＲＦ）部）を無線端末３に搭載する構成が考えられるが、当該方法により複数のハードウェアが同時に動作する並列処理の大幅な低減が期待できる為である。
【００４５】
また、例えば、第１のセル１０の受信期間（又は送信期間）は、第２のセル２０の受信期間（又は送信期間）に包含されるように決定されてもよい。これとは反対に、第２のセル２０の受信期間（又は送信期間）は、第１のセル１０の受信期間（又は送信期間）に包含されるように決定されてもよい。例えば、第１のセル１０及び第２のセル２０の受信ギャップ（又は送信ギャップ）は、第２のセル２０における受信期間（又は送信期間）の先頭位置が第１のセル１０における受信期間（又は送信期間）の先頭位置と重複するように設定されてもよい。この方法によれば、無線端末３が無線局１及び２からの下りリンクデータを受信（又は異なる無線局へ上りリンクデータを送信）することが可能な機会を重複して設定し、データ送受信における遅延を削減することが可能である一方で、無線局１及び２が同じ無線端末３に対するデータ送受信の状況をお互いに共有し、できるだけ無線局１及び２が同じ無線端末３とデータ送受信を同時に行うことを回避することも可能である。つまり、この方法は、無線局１及び２と無線端末３の間の通信に柔軟性を持たせることができ、データ送受信における遅延削減を優先するか又は無線端末における負荷軽減を優先するかをポリシーによって使いわけることができる。
【００４６】
制約情報は、第１のセル１０において第１の無線局１から無線端末３に送信されてもよいし、第２のセル２０において第２の無線局２から無線端末３に送信されてもよい。例えば、第１の無線局１は、無線端末３及び第２の無線局２に制約情報を送信してもよい。また、第１の無線局１が制約情報を第２の無線局２を介して無線端末３に送信してもよい。このとき、第１の無線局１は第２の無線局２に当該制約情報を含むメッセージを送信するが、第２の無線局２は当該メッセージのコンテンツを知らなくてもよいし、知ることができるような構成にしてもよい。第２の無線局２は、第２のセル２０において当該制約情報を無線端末３に送信する場合、制御情報として送信してもよいし、他の下りリンクデータと同様に送信してもよい。他の例において、第１の無線局１が無線端末３に制約情報を送信し、無線端末３が第２の無線局２に制約情報を転送してもよい。さらに、他の例において、第２の無線局２が第２のセル２０に関する制約情報を第１の無線局１に送信し、第１の無線局１が無線端末３に制約情報を送信してもよい。第１の無線局１と第２の無線局２の間の制約情報の送信は、コアネットワーク４を介して行われてもよい。
【００４７】
続いて以下では、本実施形態に係る無線局１及び２、並びに無線端末３の構成例について説明する。図２は、第１の無線局１の構成例を示すブロック図である。無線通信部１１は、無線端末３から送信された上りリンク信号（uplink signal）をアンテナを介して受信する。受信データ処理部１３は、受信された上りリンク信号を復元する。得られた受信データは、通信部１４を経由して他のネットワークノード、例えばコアネットワーク４のデータ中継装置若しくはモビリティ管理装置、又は他の無線局に転送される。例えば、無線端末３から受信された上りリンクユーザーデータは、上位ネットワークのデータ中継装置に転送される。また、無線端末３から受信された制御データのうち非アクセス層（Non-Access Stratum（NAS））の制御データは、上位ネットワークのモビリティ管理装置に転送される。さらに、受信データ処理部１３は、無線局２に送信される制御データを通信制御部１５から受信し、これを通信部１４を経由して無線局２に送信する。
【００４８】
送信データ処理部１２は、無線端末３宛てユーザーデータを通信部１４から取得し、誤り訂正符号化、レートマッチング、インタリービング等を行なってトランスポートチャネルを生成する。さらに、送信データ処理部１２は、トランスポートチャネルのデータ系列に制御情報を付加して送信シンボル列を生成する。無線通信部１１は、送信シンボル列に基づく搬送波変調、周波数変換、信号増幅等の各処理を行って下りリンク信号（downlink signal）を生成し、これを無線端末３に送信する。さらに、送信データ処理部１２は、無線端末３に送信される制御データを通信制御部１５から受信し、これを無線通信部１１を経由して無線端末３に送信する。
【００４９】
通信制御部１５は、第１のセル１０及び第２のセル２０を使用する無線局間キャリアアグリゲーションを制御する。さらに、通信制御部１５は、一例において、上述した制約情報を無線端末３に送信してもよい。
【００５０】
図３は、第２の無線局２の構成例を示すブロック図である。図３に示された無線通信部２１、送信データ処理部２２、受信データ処理部２３、及び通信部２４の機能及び動作は、図２に示された無線局１の対応する要素、すなわち無線通信部１１、送信データ処理部１２、受信データ処理部１３、及び通信部１４と同様である。
【００５１】
無線局２の通信制御部２５は、第１のセル１０及び第２のセル２０を使用する無線局間キャリアアグリゲーションを制御する。さらに、通信制御部２５は、一例において、上述した制約情報を無線端末３に送信してもよい。
【００５２】
図４は、無線端末３の構成例を示すブロック図である。無線通信部３１は、異なる無線局によって運用される複数のセルのキャリアアグリゲーションをサポートし、信号の送信又は受信のために複数のセル（例えば、セル１０及び２０）を同時に使用することができる。具体的には、無線通信部３１は、アンテナを介して、無線局１若しくは無線局２又はこれら両方から下りリンク信号を受信する。受信データ処理部３２は受信された下りリンク信号から受信データを復元してデータ制御部３３に送る。データ制御部３３は、受信データをその目的に応じて利用する。また、送信データ処理部３４及び無線通信部３１は、データ制御部３３から供給される送信データを用いて上りリンク信号を生成し、無線局１若しくは無線局２又はこれら両方に向けて送信する。
【００５３】
無線端末３の通信制御部３５は、第１のセル１０及び第２のセル２０を使用する無線局間キャリアアグリゲーションを制御する。さらに、通信制御部３５は、第１の無線局１又は第２の無線局２から制約情報を受信する。そして、通信制御部３５は、無線局間キャリアアグリゲーションにおいて、制約情報に基づき特定される受信制限（又は送信制限）を考慮した受信動作（又は送信動作）を行う。
【００５４】
続いて以下では、本実施形態に係る無線通信システムにおける通信制御方法の手順例１〜３について説明する。
【００５５】
（手順例１）
手順例１では、第１の無線局１は、上述の制約情報を無線端末３及び第２の無線局２に送信する。図５は、手順例１に係る通信制御方法を示すシーケンス図の一例である。ステップＳ１０１及びＳ１０２では、第１の無線局１は、制約情報を無線端末３及び第２の無線局２に送信する。ステップＳ１０３では、第１の無線局１及び無線端末３は、制約情報に基づいて特定される受信制限（例えば、受信ギャップ）又は送信制限（例えば、送信ギャップ）に従って、第１のセル１０において信号を送受信する。ステップＳ１０４では、第２の無線局２及び無線端末３は、制約情報に基づいて特定される受信制限（例えば、受信ギャップ）又は送信制限（例えば、送信ギャップ）に従って、第２のセル２０において信号を送受信する。
【００５６】
無線端末３に通知される制約情報は、例えば、第１のセル１０において所定の下りリンク信号を受信すべき受信期間に関する情報と、第２のセル２０において所定の下りリンク信号を受信すべき受信期間に関する情報を含んでもよい。無線端末３は、制約情報に基づき特定される受信期間においてのみ、第１のセル１０及び第２のセル２０での所定の下りリンク信号の受信を行えばよい。これにより、無線端末３が所定の下りリンク信号の不必要な受信動作（又は復号動作）を行うことを回避し、無駄な電力消費を抑制できる
【００５７】
制約情報は、第１のセル１０と第２のセル２０のいずれか一方の受信制限（又は送信制限）を特定するために必要な情報のみを含んでもよい。例えば、第１の無線局１は、第１のセル１０のみに関する制約情報を無線端末３及び第２の無線局２に送信してもよいし、第２のセル２０のみに関する制約情報を無線端末３及び第２の無線局２に送信してもよい。
【００５８】
また、第１の無線局１は、第２のセル２０に関する制約情報を考慮して、第１のセル１０での無線端末３に関する送信又は受信を行ってもよい。これとは反対に、第２の無線局２は、第１のセル１０に関する制約情報を考慮して、第２のセル２０での無線端末３に関する送信又は受信を行ってもよい。例えば、第１の無線局１は、第２のセル２０における無線端末３の受信ギャップにおいて、無線端末３への下りリンク信号を第１のセル１０にて送信してもよい。
【００５９】
第１の無線局１から無線端末３に送信される制約情報は、第１の無線局１から第２の無線局２に送信される制約情報と同じ内容でもよいし異なる内容でもよい。例えば、第１の無線局１は、第１のセル１０及び第２のセル２０の両方に関する制約情報を無線端末３に送信し、第２のセル２０のみに関する制約情報を第２の無線局２に送信してもよい。
【００６０】
（手順例２）
手順例２では、第１の無線局１が上述の制約情報を無線端末３に送信し、無線端末３が第２の無線局２に制約情報を転送する。図６は、手順例２に係る通信制御方法を示すシーケンス図の一例である。ステップＳ２０１では、第１の無線局１は、制約情報を無線端末３に送信する。ステップＳ２０２では、無線端末３は、制約情報を第２の無線局２に転送する。ステップＳ２０３及びＳ２０４における処理は、図５のステップＳ１０３及びＳ１０４における処理と同様である。
【００６１】
第１の無線局１から無線端末３に送信される制約情報は、第１及び第２のセル１０及び２０に関する制約情報を含んでもよい。一方、無線端末３から第２の無線局２に転送される制約情報は、少なくとも第２のセル２０に関する制約情報を含んでいればよい。しかしながら、無線端末３から第２の無線局２に送信される制約情報は、第１の無線局１から無線端末３に送信される制約情報と同じ内容であってもよい。無線端末３は、第２のセル２０に関する制約情報を自発的に第２の無線局２に送信してもよいし、第２の無線局２からの報告指示に応答して送信してもよい。
【００６２】
（手順例３）
手順例３では、無線端末３への制約情報の通知が、第２の無線局２の要求に基づいて行われる。制約情報は、第１の無線局１又は第２の無線局２によって生成される。図７は、手順例３に係る通信制御方法を示すシーケンス図の一例である。ステップＳ３０１では、第２の無線局２は、第２のセル２０において無線端末３による信号の受信又は送信に制約を設定するための要求を第１の無線局１に送信する。このとき、第２の無線局２は、第２のセル２０に関する制約情報を第１の無線局１に送信してもよい。
【００６３】
ステップＳ３０２では、第１の無線局１は、第２のセル２０に関する制約情報を認めるか否か、言い換えると第２のセルへの制約の適用を認めるか否か、を示す応答を第２の無線局２に送信する。ステップＳ３０１での要求受信時に第２の無線局２から制約情報を受信していない場合、第１の無線局１は、第２のセル２０に関する制約情報を第２の無線局２に送信してもよい。第１の無線局１は、第２のセル２０への制約の適用を認める場合、第２のセル２０に関する制約情報を無線端末３に送信する（ステップＳ３０３）。ステップＳ３０４及びＳ３０５における処理は、図５のステップＳ１０３及びＳ１０４における処理と同様である。
【００６４】
ステップＳ３０２において、第１の無線局１は、無線端末３に対する第１のセル１０に関する制約情報を第２の無線局２へ送信してもよい。同様に、ステップＳ３０３において、第１の無線局１は、第１のセル１０に関する制約情報を無線端末３へ送信してもよい。
【００６５】
第１の無線局１は、第２の無線局２から第２のセルに関する制約情報を受信した場合、当該制約情報をそのまま受け入れずに、新たに第２のセルに関する制約情報を生成(又は設定）し、第２の無線局２に送信してもよい。
【００６６】
（手順例３の変形）
第１の無線局１は、第２のセル２０に関する制約情報の生成（又は設定）を第２の無線局２に要求してもよい。この場合、第２の無線局２が第２のセル２０に関する制約情報を第１の無線局１に送信し、第１の無線局１が当該制約情報を無線端末３へ送信してもよい。
【００６７】
＜第２の実施形態＞
本実施形態では、上述した第１の実施形態を3GPP LTEシステムに適用する例について説明する。本実施形態に係る無線通信システムの構成例は、図１と同様とすればよい。ただし、無線局１及び２はeNBに相当し、無線端末３はUEに相当し、コアネットワーク４はEPC(Evolved Packet Core)に相当する。無線局間（つまり、eNB間）の情報の送受信は、直接インタフェースであるX2インタフェースを用いてもよいし、EPCを経由するインタフェースであるS1インタフェースを用いてもよいし、或いは、新たに規定されるインタフェース（例えば、X3インタフェース）でもよい。無線端末（UE）３は、異なる無線局（eNB）によって運用される複数のセルのキャリアアグリゲーション（Inter-eNB CAまたはInter-Site CAと呼ぶ）をサポートする。なお、ここでの「Inter-eNB CA」とは、実際に異なるeNBのセルで信号を同時に受信又は送信することに限定はされず、異なるeNBのセルの両方において信号（例えば、ユーザーデータ又は制御情報）を受信又は送信することが可能な状態になっているが実際にはいずれかのeNBのセルで信号を受信又は送信すること、異なるeNBのセルそれぞれで種類の異なる信号を受信又は送信すること、或いは、異なるeNBのセルそれぞれを信号の受信又は送信のいずれかに使用すること、などを含む。
【００６８】
以下では、無線局１及び２をeNB１及び２、無線端末３をUE３とし、コアネットワーク４をEPC４として説明する。さらに、UE３が、eNB１のセル１０をプライマリセル（PCell）として使用している間に、eNB２のセル２０をセカンダリセル（SCell）として使用する無線基地局間のキャリアアグリゲーション（Inter-eNB CA）を行うことを想定する。ここで、プライマリセル（PCell）は、CAを開始する前に既にサービングセルとして使用されていたセルである。一方、セカンダリセル（SCell）は、UE３がプライマリセルに接続していることを前提として、追加的に又は従属的に使用される（活性化される）セルである。PCellでは、無線接続の確立（RRC Connection Establishment）や無線接続の再確立（RRC Connection Re-establishment）の際に、NASモビリティ情報（Non Access Stratum mobility information）及びセキュリティ情報（security input）等が送受信される。PCellに対応するDL Component CarrierがDL PCCであり、UL Component CarrierがUL PCCである。同様に、SCellに対応するDL Component CarrierがDL SCCであり、UL Component CarrierがUL SCCである。
【００６９】
eNB１又は２は、UE３に制約情報（Constraint information）を送信する。制約情報は、eNB間キャリアアグリゲーションのためにSCell（第２のセル２０）が活性化（アクティベーション）されているときのPCell及びSCellの少なくとも一方における受信制限及び送信制限の少なくとも一方を特定するために必要な情報要素を含む。U３は、eNB１又は２から制約情報を受信する。そして、UE３は、eNB間キャリアアグリゲーションにおいて、受信制限を考慮した受信動作、又は送信制限を考慮した送信動作を行う。
【００７０】
制約情報は、例えば、受信制限及び送信制限の少なくとも一方を特定するために、以下の（ａ）〜（ｈ）のうち少なくとも１つを明示的又は暗示的に示してもよい。
（ａ）所定の下りリンク信号（DL Signal）を受信すべき期間（又はタイミング）
（ｂ）所定の下りリンク信号を復号すべき期間（又はタイミング）
（ｃ）所定の下りリンク信号を受信しなくてもよい期間（又はタイミング）
（ｄ）所定の下りリンク信号を復号しなくてもよい期間（又はタイミング）
（ｅ）上りリンク信号（UL Signal）の送信が禁止される期間（又はタイミング）
（ｆ）上りリンク信号を送信してもよい期間（又はタイミング）
（ｇ）上りリンク信号を送信する可能性がある期間（又はタイミング）
（ｈ）上りリンク信号の送信が許可される可能性がある期間（又はタイミング）
これらの期間又はタイミングは、UE３の観点から表現されているが、eNB１及び２の観点からの表現に変換しても同義である。
【００７１】
所定の下りリンク信号（DL signal）は、例えば、下りリンク制御チャネルであるPDCCH又はEPDCCH (Enhanced PDCCH)で送信される信号（L1/2 control signaling）である。この信号は、UEへのデータ送信などのために割り当てられた下りリンクの無線リソースのスケジューリング情報や、UEがデータ送信などに使用する上りリンクの無線リソースの使用許可情報（UL grant）などを含む。所定の下りリンク信号（DL signal）は、ページング（Paging）を送信するための信号、又はシステム情報（System information）を送信するための信号であってもよい。
【００７２】
また、受信制限の例としては、上記（ｃ）又は（ｄ）を示す「受信ギャップ」を設定することが考えられる。或いは、上記（ａ）と（ｃ）の組み合わせ、又は（ｂ）と（ｄ）の組み合わせで規定される「間欠受信（Discontinuous Reception: DRX）」を指示することも考えられる。ここで、DRXを指示する場合、第１のセル１０（例えば、PCell）と第２のセル２０（例えば、SCell）でDRXに関する設定の全て又は一部を共通にしてもよいし、DRXに関する設定を全て独立に設定してもよい。DRXに関する設定としては、例えばOn-Duration（OnDurationTimer）、drx-InactivityTimer、drx-RetransmissionTimer、longDRX-CycleStartOffset、shortDRX-Cycle、drxShortCycleTimer、HARQ RTT Timer、などが考えられる。さらに、UE３は、DRXに使用する上述のタイマーの全て又は一部を第１のセル１０と第２のセル２０で協調させて動作させてもよいし、独立に動作させてもよい。これにより、第１のセル１０及び第２のセル２０それぞれのデータ送受信状況に応じた柔軟なDRXを行うことができる。尚、DRXに使用するタイマーの動作は、基本的に無線端末において行われるが、無線基地局においても対応する動作を行ってもよい。
【００７３】
送信制限の例としては、上記（ｅ）を示す「送信ギャップ」を設定することが考えられる。或いは、（ｅ）と（ｆ）〜（ｈ）のいずれかの組み合わせで規定される、つまり上りリンク信号の送信が許可されるタイミング（例えばサブフレーム）を絞りこむ「送信タイミングのマスキング（Masking）」を指示することも考えられる。
【００７４】
さらに、制約情報は、受信制限と送信制限の少なくともいずれかを直接的に示してもよいし、暗に示してもよい。例えば、制約情報は、以下のうち少なくとも１つを含んでも良い。
（Ａ）受信制限の適用の要求（又は指示）
（Ｂ）送信制限の適用の要求（又は指示）
（Ｃ）受信制限の内容
（Ｄ）送信制限の内容
（Ｅ）受信制限の制御パラメータ
（Ｆ）送信制限の制御パラメータ
【００７５】
（Ａ）は、例えば受信制限が何を指すかを予めeNB１及び２の間あるいはeNB１及び２とUE３の間で共有している、または仕様に規定されている場合に、当該受信制限を適用することを要求する際に用いられる。同様に、（Ｂ）は、例えば送信制限が何を指すかを予めeNB１及び２の間で共有している、または仕様に規定されている場合に、当該送信制限を適用することを要求する際に用いられる。
【００７６】
（Ｃ）は、どのような受信制限を適用するかを示す情報であり、例えば「受信ギャップ」の設定か、又は「ＤＲＸ」の指示か、などを示す。同様に（Ｄ）は、どのような送信制限を適用するかを示す情報であり、例えば「送信ギャップ」の設定か、又は「送信タイミングのマスキング」の指示か、などを示す。
【００７７】
（Ｅ）は、受信制限において設定する制御パラメータを示す情報であり、例えば上述の（ａ）〜（ｄ）の少なくともいずれかを示す。同様に、（Ｆ）は、送信制限において設定する制御パラメータを示す情報であり、例えば上述の（ｅ）〜（ｈ）の少なくともいずれかを示す。
【００７８】
制約情報は、第１のセル１０においてeNB１からUE３に送信されてもよいし、第２のセル２０においてeNB２からUE３に送信されてもよい。例えば、eNB１は、UE３及びeNB２に制約情報を送信してもよい。また、eNB１が制約情報をeNB２を介してUE３に送信してもよい。このとき、eNB１はeNB２に当該制約情報を含むメッセージを例えばX2インタフェース（又は新規インタフェース）にて送信するが、eNB２は当該メッセージのコンテンツを知らなくてもよいし、知ることができるような構成にしてもよい。eNB２は、第２のセル２０において当該制約情報をUE３に送信する場合、制御情報としてSRB (Signaling Radio Bearer) を使用して送信してもよいし、他の下りリンクデータと同様にDRB (Data Radio Bearer) を使用して送信してもよい。他の例において、eNB１が無線端末３に制約情報を送信し、UE３がeNB２に制約情報を転送してもよい。さらに、他の例において、eNB２が第２のセル２０に関する制約情報をeNB１に送信し、eNB１がUE３に制約情報を送信してもよい。eNB１とeNB２の間の制約情報の送信は、コアネットワーク４を介してS1インタフェースにて行われてもよい。
【００７９】
制約情報の対象となるセルは、PCell（第１のセル１０）及びSCell（第２のセル２０）の両方でもよいし、いずれか一方のみでもよい。
【００８０】
制約情報に基づくSCellの受信制限（又は送信制限）は、PCellの受信制限（又は送信制限）と独立に設定されてもよい。これに代えて、SCellの受信制限（又は送信制限）は、PCellの受信制限（又は送信制限）に依存して設定されてもよい。例えば、SCellの受信ギャップ（又は送信ギャップ）は、PCellの受信ギャップ（又は送信ギャップ）と少なくとも一部が重複しないように設定されてもよい。例えば、PCell及びSCellの受信ギャップは、SCellにおける受信期間の先頭位置がPCellにおける受信期間の先頭位置と重複しないように設定されてもよい。同様に、PCell及びSCellの送信ギャップは、SCellにおける送信期間の先頭位置がPCellにおける送信期間の先頭位置と重複しないように設定されてもよい。
【００８１】
また、例えば、PCell及びSCellの受信ギャップ（又は送信ギャップ）は、PCellの受信期間（又は送信期間）とSCellの受信期間（又は送信期間）が全く重複しないように決定されてもよい。
【００８２】
また、例えば、SCellの受信ギャップ（又は送信ギャップ）は、PCellの受信ギャップ（又は送信ギャップ）に包含されるように決定されてもよい。言い換えると、PCellの受信期間（又は送信期間）は、SCellの受信期間（又は送信期間）に包含されるように決定されてもよい。これとは反対に、PCellの受信ギャップ（又は送信ギャップ）は、SCellの受信ギャップ（又は送信ギャップ）に包含されるように決定されてもよい。言い換えると、SCellの受信期間（又は送信期間）は、PCellの受信期間（又は送信期間）に包含されるように決定されてもよい。
【００８３】
以下では、本実施形態に係る無線通信システムにおける通信制御方法の手順例４〜８について説明する。手順例４〜６では、制約情報に基づいて特定される受信ギャップ（Rx gap）が、PDCCHを復号しなくてもよい期間（１又は複数のサブフレーム）を示す場合を例に用いて説明する。また、以下では、PDCCHを受信して復号すべき期間をON期間（又はActive期間）と呼び、PDCCHを復号しなくてもよい期間をOFF期間（又はInactive期間）と呼ぶ。例えば、OFF期間が受信ギャップ（が有効な期間）に相当する。
【００８４】
（手順例４）
手順例４は、第１の実施形態で説明した手順例１に対応する。すなわち、eNB１は、受信ギャップを特定するために必要な制約情報をUE３及びeNB２に送信する。図８は、手順例４を示すシーケンス図の一例である。なお、図８において、第１のセル１０はCELL1と表示され、第２のセル２０はCELL2と表示されている。ステップＳ４０１では、eNB１は、制約情報（Constraint information）を含むメッセージ（RRC Connection Reconfiguration）をUE３に送信する。ステップＳ４０２では、eNB１は、制約情報（Constraint information）を含むメッセージ（Constraint indication）をeNB２に送信する。
【００８５】
ステップＳ４０３〜Ｓ４０６では、eNB１及びeNB２は、制約情報に基づき、CELL1及びCELL2において下りリンクデータ（DL data）をそれぞれ送信し、UE３はeNB１及びeNB２からDL dataを受信する。例えばCELL1における受信期間（ON期間）において、eNB１はUE３へのDL data（e.g. VoIP data）を送信し、UE３はPDCCHを復号することでDL data（e.g. VoIP data）を受信することができる（ステップＳ４０３及びＳ４０５）。一方、CELL2における受信期間（ON期間）において、eNB2はUE３へのDL data（e.g. FTP data）を送信し、UE３はPDCCHを復号することでDL data（e.g. FTP data）を受信することができる（ステップＳ４０４及びＳ４０６）。
【００８６】
CELL1の受信ギャップ（OFF期間）では、UE３は、CELL1のPDCCHを復号しなくてもよい。同様に、CELL2の受信ギャップ（OFF期間）では、UE３は、CELL2のPDCCHを復号しなくてもよい。これにより、不必要なPDCCHの受信（又は復号）を回避できるため、UE３の消費電力を低減できる。図８において、CELL1の受信ギャップ（OFF期間）は、CELL1のON期間を除く期間に相当する。同様に、CELL2の受信ギャップ（OFF期間）は、CELL2のON期間を除く期間に相当する。
【００８７】
制約情報は、CELL1とCELL2のいずれか一方の受信ギャップ（OFF期間）を特定するために必要な情報のみを含んでもよい。例えば、eNB１は、CELL1のみに関する制約情報をUE３及びeNB２に送信してもよいし、CELL2のみに関する制約情報をUE３及びeNB２に送信してもよい。
【００８８】
また、eNB１は、CELL2に関する制約情報を考慮して、CELL1でのUE３に関する送信又は受信を行ってもよい。これとは反対に、eNB２は、CELL1に関する制約情報を考慮して、CELL2でのUE３に関する送信又は受信を行ってもよい。例えば、eNB１は、CELL2におけるUE３の受信ギャップ（OFF期間）において、UE３への下りリンク信号をCELL1にて送信してもよい。
【００８９】
eNB１からUE３に送信される制約情報は、eNB１からeNB２に送信される制約情報と同じ内容でもよいし異なる内容でもよい。例えば、eNB１は、CELL1及びCELL2の両方に関する制約情報をUE３に送信し、CELL2のみに関する制約情報をeNB２に送信してもよい。
【００９０】
制約情報（Constraint information）を有効にするタイミング、つまり制約情報で特定される受信制限や送信制限を有効にするタイミングは、例えばUE又はeNB2が当該制約情報をeNB１から受信した時点でもよいし、当該制約情報を受信してから所定時間経過後でもよい。所定時間は、制約情報に含んで送信されることにより指定されてもよいし、UE３及びeNB２に予め設定されていてもよい。
【００９１】
制約情報の有効化は、例えば、以下に示す手順に従って行なってもよい。図９は、制約情報の有効化手順のオプション１〜３を示している。図９のステップＳ４０１及びＳ４０２における処理は、図８のステップＳ４０１及びＳ４０２における処理と同様である。図９のステップＳ４１１及びＳ４１２は、オプション１を示している。すなわち、ステップＳ４１１では、eNB１は、CELL1に関する制約情報を有効にする指示をUE３に送信する（Activation of constraint on CELL1）。ステップＳ４１２では、eNB２は、CELL2に関する制約情報を有効にする指示をUE３に送信する（Activation of constraint on CELL2）。
【００９２】
図９のステップＳ４２１及びＳ４２２は、オプション２を示している。ステップＳ４２１では、eNB１は、CELL1及びCELL2に関する制約情報を有効にする指示をUE３に送信する（Activation of constraint on CELL1 and CELL2）。このとき、ステップＳ４２２に示すように、eNB１は、UE３に対して制約情報を有効化したことを、eNB２に通知してもよい（Constraint activation indication）。
【００９３】
図９のステップＳ４３１及びＳ４３２は、オプション３を示している。ステップＳ４３１では、eNB１は、CELL1及びCELL2に関する制約情報を有効にする指示をUE３に送信する（Activation of constraint on CELL1 and CELL2）。ステップＳ４３２では、UE３は、CELL2における制約情報の有効化をeNB２に通知する（Constraint activation report）。
【００９４】
（手順例５）
手順例５は、第１の実施形態で説明した手順例２に対応する。すなわち、eNB１が制約情報をUE３に送信し、UE３がeNB２に制約情報を転送する。図１０は、手順例５を示すシーケンス図の一例である。図１０において、第１のセル１０はCELL1と表示され、第２のセル２０はCELL2と表示されている。ステップＳ５０１では、eNB１は、制約情報（Constraint information）を含むメッセージ（RRC Connection Reconfiguration）をUE３に送信する。ステップＳ５０２では、UE３は、制約情報（Constraint information）を含むメッセージ（Constraint information report）をeNB２に送信する。UE３は、 CELL2に関する制約情報を自発的にeNB２に送信してもよいし、 eNB２からの制約情報の報告指示（Constraint information report request）に応答して送信してもよい。図１０のステップＳ５０３及びＳ５０５における処理は、図８のステップＳ４０３及びＳ４０４における処理と同様である。
【００９５】
eNB１からUE３に送信される制約情報は、CELL1及びCELL2に関する制約情報を含んでもよい。一方、UE３からeNB２に転送される制約情報は、少なくともCELL2に関する制約情報を含んでいればよい。しかしながら、UE３からeNB２に送信される制約情報は、eNB１からUE３に送信される制約情報と同じ内容であってもよい。
【００９６】
（手順例６）
手順例６は、第１の実施形態で説明した手順例３に対応する。すなわち、UE３への制約情報の通知が、eNB２の要求に基づいて行われる。制約情報は、eNB１又はeNB２によって生成される。図１１は、手順例６に係る通信制御方法を示すシーケンス図の一例である。図１１において、第１のセル１０はCELL1と表示され、第２のセル２０はCELL2と表示されている。ステップＳ６０１では、eNB２は、CELL2においてUE３による信号の受信又は送信に制約（つまり、受信制限又は送信制限）を設定するための要求をeNB１に送信する（Constraint configuration request (for CELL2)）。
【００９７】
ステップＳ６０２では、eNB１は、CELL2に関する制約情報を認めるか否か、言い換えるとCELL2への制約の適用を認めるか否か、を示す応答をeNB２に送信する。CELL2への制約の適用を認める場合、eNB１は、CELL2に関する制約情報をeNB２に送信する（Constraint information indication）。さらに、ステップＳ６０３では、eNB１は、CELL2に関する制約情報をUE３に送信する（RRC Connection Reconfiguration (including Constraint information)）。ステップＳ６０３では、eNB１は、CELL1に関する制約情報をUE３へ送信してもよい。ステップＳ６０４及びＳ６０５における処理は、図８のステップＳ４０３及びＳ４０４における処理と同様である。
【００９８】
ステップＳ６０１での要求送信の際に、eNB２は、推奨する制約情報をeNB1に送信してもよい。この場合、eNB１は、eNB２から受信した制約情報を認めるか否かを判定した結果をeNB２に送信してもよい。また、eNB１は、eNB２から受信した制約情報の代わりにeNB１が推奨する制約情報を生成(又は設定）してeNB２に送信してもよい。
【００９９】
ステップＳ６０２において、eNB１は、UE３に対するCELL1に関する制約情報をeNB２へ送信してもよい。同様に、ステップＳ６０３において、eNB１は、CELL1に関する制約情報をUE３へ送信してもよい。
【０１００】
（手順例６の変形）
eNB１は、CELL2に関する制約情報の生成（又は設定）をeNB２に要求してもよい。この場合、eNB２がCELL2に関する制約情報をeNB１に送信し、eNB１が当該制約情報をUE３へ送信してもよい。図１２は、手順例６の変形を示すシーケンス図の一例である。図１２において、第１のセル１０はCELL1と表示され、第２のセル２０はCELL2と表示されている。ステップＳ６１１では、eNB１は、CELL2に関する制約情報の生成（又は設定）をeNB２に要求する（Constraint configuration request (for CELL2)）。ステップＳ６１２では、eNB２は、CELL2に関する制約情報をeNB１に送信する（Constraint information indication）ステップＳ６１３では、eNB１は、CELL2に関する制約情報を受信したことを示す応答をeNB２に送信してもよい。ステップＳ６１４では、eNB１は、eNB２から受信したCELL2に関する制約情報をUE３へ送信する（RRC Connection Reconfiguration (including Constraint information)）。
【０１０１】
（手順例７）
ここでは、CELL1及びCELL2の受信期間（ON期間）と非受信期間（OFF期間）の設定に関するオプション１〜３を示す。オプション１では、UE３に対するPCell及びSCellの非受信期間（OFF期間）は、CELL1の受信期間（ON期間）とCELL2の受信期間（ON期間）が全く重複しないように設定される。なお、CELL1の非受信期間（OFF期間）とCELL2の非受信期間（OFF期間）は、その一部が重複してもよい。言い換えると、CELL1及びCELL2の両方においてPDCCHを受信しなくてもよい非受信期間（OFF期間）が設けられてもよい。図１３Ａは、オプション１での下りリンクデータ送信の具体例を示すシーケンス図である。図１３Ｂは、オプション１における受信期間（ON期間）と非受信期間（OFF期間）の配置の例を示している。図１３Ａ及び１３Ｂに示すように、CELL1の受信期間（ON期間）とCELL2の受信期間（ON期間）は、時間軸にそって交互に配置されてもよい。オプション１によれば、UE３は、CELL1及びCELL2を同時に受信する必要はなく、いずれか一方のみを受信すればよい。
【０１０２】
オプション２では、UE３に対するCELL1の非受信期間（OFF期間）とCELL2の非受信期間（OFF期間）は、互いに独立に設定される。言い換えると、UE３に対するCELL1の受信期間（ON期間）とCELL2の受信期間（ON期間）は、互いに独立に設定される。なお、オプション２では、CELL1及びCELL2のいずれか一方のみに、非受信期間（OFF期間）が設定されてもよい。図１４Ａは、オプション２での下りリンクデータ送信の具体例を示すシーケンス図である。図１４Ｂは、オプション２における受信期間（ON期間）と非受信期間（OFF期間）の配置の例を示している。受信期間（ON期間）および非受信期間（OFF期間）はCELL1及びCELL2においてそれぞれ独立に設定されるから、CELL1の受信期間（ON期間）とCELL2の受信期間（ON期間）は、図１４Ａ及び１４Ｂに示されているように一部が重複するかもしれない。また、偶然に、CELL1の受信期間（ON期間）とCELL2の受信期間（ON期間）は、全く重複しないかもしれない。オプション２によれば、CELL1及びCELL2それぞれの送信パターンに合わせて、受信期間（ON期間）及び非受信期間（OFF期間）の配置を最適化できる。
【０１０３】
オプション３では、PCellの受信期間（ON期間）は、SCellの受信期間（ON期間）に包含されるように設定される。図１５Ａは、オプション３での下りリンクデータ送信の具体例を示すシーケンス図である。図１５Ｂは、オプション３における受信期間（ON期間）と非受信期間（OFF期間）の配置の例を示している。なお、図１５Ａ及び１５Ｂの例とは反対に、SCellの受信期間（ON期間）は、PCellの受信期間（ON期間）に包含されるように決定されてもよい。
【０１０４】
ここで、本実施形態において、例えば上記オプション１から３において、非受信期間（OFF期間）が、対象とするサービングセルにおける受信ギャップ（Rx gap）に相当すると考えることができる。或いは、受信期間（ON期間）と非受信期間（OFF期間）が、対象とするサービングセルにおけるDRX cycleのOn-Duration（Wake up period）とOpportunity for DRX（Sleep period）に相当すると考えることもできる。
【０１０５】
（手順例８）
上述した手順例４〜７では、eNB間キャリアアグリゲーションでの下りリンク送信に関する受信期間（ON期間）及び非受信期間（OFF期間）の設定について説明した。手順例８では、制約情報（Constraint information）に基づいて送信期間及び非送信期間が設定される例について説明する。既に述べたように、送信期間は、UE３に対して上りリンク信号（UL signal）の送信が許可される可能性があるON期間（又はActive期間）を意味する。一方、非送信期間は、UE３が上りリンク信号（UL signal）を送信してはいけないOFF期間（又はInactive期間）を意味する。ここで、対象とするサービングセルにおける非送信期間（OFF期間）が送信ギャップ（Tx gap）に相当すると考えることができる。或いは、対象とするサービングセルにおける送信期間（ON期間）が送信タイミングのマスキングにおける送信可能期間に相当すると考えることもできる。さらに、対象とするサービングセルにおける送信期間（ON期間）と非送信期間（OFF期間）が、DTX cycleのOn-Duration（Transmission period）とOpportunity for DTX（Non-transmission period）に相当すると考えることもできる。
【０１０６】
図１６は、手順例８を示すシーケンス図の一例である。図１６において、第１のセル１０はCELL1と表示され、第２のセル２０はCELL2と表示されている。ステップＳ８０１では、eNB1、eNB２、及びUE３は、制約情報に基づいてCELL1及びCELL2の送信期間（ON期間）及び非送信期間（OFF期間）を設定する。送信期間（ON期間）及び非送信期間（OFF期間）の設定は、CELL1及びCELL2のいずれか一方のみにおいて行われてもよい。ステップＳ８０１では、UE３は、eNB１又はeNB２から制約情報を受信する。ステップＳ８０１の処理は、手順例４〜６で説明した制約情報の送受信手順のいずれかと同様とすればよい。
【０１０７】
ステップＳ８０２〜Ｓ４０５では、UE３は、制約情報に基づき、CELL1及びCELL2において上りリンク信号を送信し、eNB１及びeNB２はUEから上りリンク信号を受信する。図１６の例では、CELL1でRRC signalingが送信され、CELL2で上りリンクデータ（ユーザーデータ）が送信される。例えばCELL1における送信期間（ON期間）において、UE３はeNB１へのRRC signalingを送信する（ステップＳ８０２及びＳ８０４）。一方、CELL2における送信期間（ON期間）において、UE３はeNB２に上りリンクデータを送信する（ステップＳ８０３及びＳ８０５）。
【０１０８】
図１８は、実施例７において説明したオプション１と同様の思想に従って、CELL1及びCell２の送信期間および非送信期間（OFF期間）が設定されている。すなわち、UE３に対するPCell及びSCellの非送信期間（OFF期間）は、CELL1の送信期間（ON期間）とCELL2の送信期間（ON期間）が全く重複しないように設定される。なお、CELL1の非送信期間（OFF期間）とCELL2の非送信期間（OFF期間）は、その一部が重複してもよい。言い換えると、CELL1及びCELL2の両方において上りリンク送信が許可されない非送信期間（OFF期間）が設けられてもよい。これによりUE３は、CELL1とCELL2の両方で同時に上りリンク信号（RRC signalingやData）を送信する必要が無いため、複雑度（complexity）を低減することができる。特に、CELL1とCELL2が異なる周波数帯域の場合、上りリンクの同期を維持する為に適した上りリンク信号の送信タイミングが異なることが考えられ、これを考慮した制御が必要になる。しかし、図１８のステップＳ８０２〜Ｓ８０５に示した例のように送信期間（ON期間）を設定することで、この制御の複雑さが低減される。
【０１０９】
上述した手順例４〜８は、例えば、以下に述べるように変形されてもよい。手順例４〜８では、制約情報に基づいて非受信期間の例として受信ギャップ（Rx gap）または非送信期間の例として送信ギャップ（Tx gap）を設定することが考えられることを示した。この場合、以下に挙げる例外処理を適用してもよい。
・UE３は、重要な情報、例えばシステム情報（Master Information Block: MIB、又はSystem Information Block: SIB）、ページング（Paging indication、又はPaging channel: PCH）、及びRRC signalingなどは、受信ギャップに関わらず受信する。
・UE３は、下りリンクで再送される信号は、受信ギャップに関わらず受信する。
・UE３は、上りリンクで再送すべき信号は、送信ギャップに関わらず送信する。
【０１１０】
UE３への制約情報の送信はRRC signalingで、制約情報（つまり、受信制限や送信制限）の有効化（Activation）及び無効化（Deactivation）の指示はMAC (Medium Access Control) signalingやL1/L2 (Layer 1 and/or Layer 2) control signalingで行ってもよい。
【０１１１】
制約情報の送信は、いずれかの無線基地局（例えばeNB1）が行い、一方で当該制約情報（つまり、受信制限や送信制限）の有効化及び無効化は各無線基地局（eNB1およびeNB2）で行ってもよい。
【０１１２】
eNB1とeNB２の間の制約情報の送受信は、コアネットワーク（e.g. EPC）を介して行われてもよい。
【０１１３】
＜その他の実施形態＞
第１及び第２の実施形態では、制約情報に基づく受信制限又は送信制限を無線端末（UE）個別に設定をする例を示した。しかしながら、制約情報に基づく受信制限又は送信制限は、例えば、複数の無線端末（UE）に共通であってもよいし、同じセル内の無線端末（UE）全てに共通であってもよい。また、制約情報は、無線端末（UE）個別に送信されてもよいし、複数の無線端末（UE）に共通のメッセージで送信されてもよいし、同じセル内の無線端末（UE）全てに共通のメッセージ（例えば、システム情報）で送信されてもよい。
【０１１４】
第１及び第２の実施形態の適用先としては、第１の無線局１（eNB１）が比較的カバレッジの大きいマクロセルを運用（管理）するマクロ無線基地局（Macro eNB：MeNB）であり、第２の無線局２（eNB２）がカバレッジの小さいセルを運用（管理）する低電力無線局（Low Power Node: LPN）である場合が考えられる。LPNとしては、例えばMeNBと同様の機能（プロトコルレイヤ）を持つピコ無線基地局（Pico eNB：PeNB）や、MeNBに比べ機能（プロトコルレイヤ）が少ない新しい種類のネットワークノード（New Node）である場合が考えられる。或いは、MeNBがLPN及びLPNのセルにおける制御系機能（例えばRRCレイヤ）を管理するような構成でも良い。また、第２のセル２０は、従来とは異なる新しい種類のキャリア（New Carrier Type）を構成要素とする従来とは異なる新しい種類のセル（New Cell Type）であってもよい。
【０１１５】
また、第１及び第２の実施形態で述べた無線局１（通信制御部１５）、無線局２（通信制御部２５）、及び無線端末３（通信制御部３５）による通信制御方法は、いずれもApplication Specific Integrated Circuit（ASIC）を含む半導体処理装置を用いて実現されてもよい。また、これらの処理は、少なくとも１つのプロセッサ（e.g. マイクロプロセッサ、Micro Processing Unit（MPU）、Digital Signal Processor（DSP））を含むコンピュータシステムにプログラムを実行させることによって実現してもよい。具体的には、フローチャート及びシーケンス図に示されたアルゴリズムをコンピュータシステムに行わせるための命令群を含む１又は複数のプログラムを作成し、当該プログラムをコンピュータに供給すればよい。
【０１１６】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１７】
また、第１及び第２の実施形態では、主にLTEシステムに関して説明を行った。しかしながら、これらの実施形態は、LTEシステム以外の無線通信システム、例えば、3GPP UMTS (Universal Mobile Telecommunications System)、3GPP2 CDMA2000システム（1xRTT, HRPD (High Rate Packet Data)）、GSM (Global System for Mobile Communications) システム、又はWiMAXシステム等に適用されてもよい。
【０１１８】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１１９】
この出願は、２０１３年２月２２日に出願された日本出願特願２０１３−０３３７０３を基礎とする優先権を主張し、その開示の全てをここに取り込む。
【符号の説明】
【０１２０】
１  第１の無線局
２  第２の無線局
３  無線端末
１０  第１のセル
２０  第２のセル
１５  通信制御部
２５  通信制御部
３５  通信制御部
【図１】
2020005317.tif 000003
【図２】
2020005317.tif 000004
【図３】
2020005317.tif 000005
【図４】
2020005317.tif 000006
【図５】
2020005317.tif 000007
【図６】
2020005317.tif 000008
【図７】
2020005317.tif 000009
【図８】
2020005317.tif 000010
【図９】
2020005317.tif 000011
【図１０】
2020005317.tif 000012
【図１１】
2020005317.tif 000013
【図１２】
2020005317.tif 000014
【図１３Ａ】
2020005317.tif 000015
【図１３Ｂ】
2020005317.tif 000016
【図１４Ａ】
2020005317.tif 000017
【図１４Ｂ】
2020005317.tif 000018
【図１５Ａ】
2020005317.tif 000019
【図１５Ｂ】
2020005317.tif 000020
【図１６】
2020005317.tif 000021
【図１７】
2020005317.tif 000022